【手続補正書】
【提出日】平成22年2月26日(2010.2.26)
【手続補正１】
【補正対象書類名】特許請求の範囲
【補正対象項目名】全文
【補正方法】変更
【補正の内容】
【特許請求の範囲】
【請求項１】
周方向に複数のスロットを有する固定子コアと、線材により形成され前記スロットに設置されている固定子巻線とを備える回転電機の固定子において、
前記固定子巻線は周方向の異なる前記スロットに設置されているスロット収容部と、前記スロットの外部で前記スロット収容部同士を接続しているターン部とを有し、
前記スロットから突出する前記ターン部の突出箇所に、前記固定子コアの端面に沿った段部が形成されていることを特徴とする回転電機の固定子。
【請求項２】
前記ターン部の両端に、前記固定子コアの端面に沿った段部が形成されていることを特徴とする請求項１に記載の回転電機の固定子。
【請求項３】
前記ターン部の前記段部が前記固定子コアの端面に沿っている長さは、周方向に隣り合う前記スロットの間隔以下の長さであることを特徴とする請求項１または２に記載の回転電機の固定子。
【請求項４】
前記ターン部は、前記固定子コアの端面に平行な複数の段部を前記固定子コアの軸方向における異なる位置に有する階段形状に形成されていることを特徴とする請求項１から３のいずれか一項に記載の回転電機の固定子。
【請求項５】
すべての前記段部の前記固定子コアの端面に平行な長さは、周方向に隣り合う前記スロットの間隔以下の長さであることを特徴とする請求項４に記載の回転電機の固定子。
【請求項６】
前記固定子巻線の相数をｋ、周方向に交互に異なる複数の磁極を有する回転子の１極当たりの各相の前記スロットの数をｎとすると、前記ターン部に形成されている階段形状の前記段部の数は（ｋ×ｎ）であることを特徴とする請求項４または５に記載の回転電機の固定子。
【請求項７】
前記ターン部は、前記固定子コアから最も離れた位置にクランク形状を形成するクランク部を有することを特徴とする請求項１から６のいずれか一項に記載の回転電機の固定子。
【請求項８】
前記クランク部は、前記固定子コアの端面に平行に形成されていることを特徴とする請求項７に記載の回転電機の固定子。
【請求項９】
前記クランク部は、前記線材の幅分だけ前記固定子コアの径方向にずれていることを特徴とする請求項７または８に記載の回転電機の固定子。
【請求項１０】
前記ターン部は、周方向に隣接した別のターン部と軸方向に重なるように配置されていることを特徴とする請求項７から９のいずれか一項に記載の回転電機の固定子。
【請求項１１】
前記ターン部は、前記固定子コアの端面に平行な複数の段部を前記固定子コアの軸方向における異なる位置に有する階段形状に形成されており、前記クランク部と階段形状を形成する前記段部のうち前記固定子コアから軸方向に最も離れた位置にある最上段部との軸方向距離が、前記段部間の軸方向距離よりも長くなるように形成されたことを特徴とする請求項７から１０のいずれか一項に記載の回転電機の固定子。
【請求項１２】
前記クランク部は、周方向に隣接した別のターン部の前記最上段部と軸方向に重なるように配置されていることを特徴とする請求項１１に記載の回転電機の固定子。
【請求項１３】
前記ターン部の前記段部間の距離は、前記線材の高さであることを特徴とする請求項１１または１２に記載の回転電機の固定子。
【請求項１４】
前記線材は、断面形状が矩形状であることを特徴とする請求項１から１３のいずれか一項に記載の回転電機の固定子。
【請求項１５】
前記線材は前記固定子コアの全周にわたって連続して形成されていることを特徴とする請求項１から１４のいずれか一項に記載の回転電機の固定子。
【請求項１６】
前記線材は、導体及び、さらに前記導体の外周を覆う絶縁被覆を有し、前記絶縁被覆は１００〜２００μｍの厚みであることを特徴とする請求項１から１５のいずれか一項に記載の回転電機の固定子。
【請求項１７】
前記絶縁被覆は、内層と、当該内層の外周を覆い前記内層よりもガラス転移温度の低い外層とを有することを特徴とする請求項１６に記載の回転電機の固定子。
【請求項１８】
前記線材は、さらに前記絶縁被覆の外周を覆う融着材を有することを特徴とする請求項１６または１７に記載の回転電機の固定子。
【請求項１９】
前記線材は導体を有し、前記導体はアルミニウムから形成されることを特徴とする請求項１から１８のいずれか一項に記載の回転電機の固定子。
【請求項２０】
請求項１から１９のいずれか一項に記載の回転電機の固定子と、
前記固定子の内周側または外周側に、周方向に交互に異なる磁極を形成している回転子とを備えたことを特徴とする回転電機。
【手続補正２】
【補正対象書類名】明細書
【補正対象項目名】０００８
【補正方法】変更
【補正の内容】
【０００８】
請求項２に記載の発明では、前記ターン部の両端に、固定子コアの端面に沿った段部が形成されている。これにより、固定子コアから突出しているコイルエンドの形状全体が小さくなる。
【手続補正３】
【補正対象書類名】明細書
【補正対象項目名】０００９
【補正方法】変更
【補正の内容】
【０００９】
請求項３に記載の発明では、ターン部の段部が固定子コアの端面に沿っている長さは、周方向に隣り合うスロットの間隔以下の長さとなっている。これにより、ターン部の突出箇所が周方向に隣り合うスロットから突出するターン部と干渉することを防止できる。結果として、干渉を避けるために、コイルエンドの高さが高くなったり、あるいは、コイルエンドの径方向の幅が大きくなったりすることを防止できる。
【手続補正４】
【補正対象書類名】明細書
【補正対象項目名】００１０
【補正方法】変更
【補正の内容】
【００１０】
請求項４に記載の発明では、ターン部が、固定子コアの端面に平行な複数の段部を固定子コアの軸方向における異なる位置に有する階段形状に形成されている。したがって、複数の段部によってコイルエンドの高さを一層抑えることができる。
【手続補正５】
【補正対象書類名】明細書
【補正対象項目名】００１３
【補正方法】変更
【補正の内容】
【００１３】
また、請求項７に示すように、ターン部が、固定子コアから最も離れた位置にクランク形状を形成するクランク部を有する構成としてもよい。
【手続補正６】
【補正対象書類名】明細書
【補正対象項目名】００２２
【補正方法】変更
【補正の内容】
【００２２】
請求項１６に記載の発明では、線材は導体及び、さらに導体の外周を覆う絶縁被覆を有し、絶縁被覆は１００〜２００μｍの厚みとなっている。この場合、線材の導体は１００〜２００μｍの厚みの絶縁被覆で外周を覆われているので、線材同士を絶縁するために線材同士の間に絶縁紙等を挟み込んで絶縁する必要がない。
【手続補正７】
【補正対象書類名】明細書
【補正対象項目名】００２８
【補正方法】削除
【補正の内容】
【手続補正８】
【補正対象書類名】明細書
【補正対象項目名】００３５
【補正方法】変更
【補正の内容】
【００３５】
また、固定子コア１２の端面１３に沿った段部４６の長さをｄ１、周方向に隣接するスロット同士の間隔をｄ２とすると、ｄ１≦ｄ２になっている。したがって、線材３０の段部４６が周方向に隣り合うスロットから突出する線材３０と干渉することを防止できる。これにより、周方向に隣接するスロットから突出する線材３０同士が互いに干渉することを避けるために、コイルエンドの高さが高くなったり、あるいはコイルエンドの径方向の幅が大きくなったりすることを防止できる。その結果、コイルエンドの高さが低くなる。さらに、コイルエンドの径方向の幅が小さくなるため、固定子巻線２０が径方向外側に張り出すことを防止できる。
【手続補正９】
【補正対象書類名】明細書
【補正対象項目名】００４７
【補正方法】変更
【補正の内容】
【００４７】
（第４実施形態）
本第４実施形態の回転電機４０１の構成を図１０に示した。本実施形態の回転電機４０１は、略有底筒状の一対のハウジング部材４１０ａ，４１０ｂが開口部同士で接合されてなるハウジング４１０と、ハウジング４１０に軸受け５１０，５１１を介して回転自在に支持される回転軸４２０に固定された回転子４０２と、ハウジング４１０の内部で回転子４０２を包囲する位置でハウジング４１０に固定された固定子４０３と、を備えている。